(57)【要約】  トンネル掘削機、(、以下に、: TBM) 完全なプロフィールに関しては、シャフト(2)を滑らせるとき取り付けられて、運転する設備に接続される回転式の円形の前部髭剃り部(3)を含んでいるという事実によって蹄鉄形をしている横向きのプロフィールによるトンネルの運転は特徴付けられます、よく把持のコンベヤ・システムと抽出された材料、および円形の前部髭剃り部(3)の機能に関連する他の服装の転送のように。 また、トンネルマシンが、円形の前部髭剃り部(4)と共にシャフト(2)を滑らせるとき取り付けられたケーシング(1)を支えるのを含んでいるか、またはトンネルマシンジャケットは支持しているケーシング(10)として使用されます。 支持ケーシング(1、10)はシステム(1.1、10.1)を修理するのを備えています。 トンネルマシンがまた、互いの投影の、そして、対称のアレンジメントに前部髭剃り部の回転の軸(3.2)に関して2人の仕上げの髭剃り部(4)を含んで、回転前部髭剃り部(3)の後に取り付けられて(マシン動き視点から)、それぞれの仕上げの髭剃り部(4)が非回転式のシャフトの上に回転本体(4.1)を持っている、(、5.2、.2、) ボディー(4.1)は非回転式のシャフトに取り付けられて、その運転する設備(5)が整っている内面の領域を区切ります。
2009522471.tif 000002
【特許請求の範囲】
【請求項１】
主として蹄鉄形をしている横向きのプロフィールによるトンネルの完全なプロフィール運転のためにマシンにトンネルを堀って、回転の回覧の前部髭剃り部から成るのは運転する設備に接続しました、よく根切り土を捕らえて、移すコンベヤ・システムのように;  そして、回転前部髭剃り部(3)と共にシャフト(2)を滑らせるとき、支持を含んでいるという点で特徴付けられる円形の前部髭剃り部の機能に関連する他の服装ではケーシング(1)が上がったか、またはトンネルマシンジャケットは支持しているケーシング(10)として使用されます; 支持ケーシング(1、10)は、前部髭剃り部の回転の軸(3.1)に関して互いの鏡と対称のアレンジメントでシステム(1.1、10.1)、2人の仕上げの髭剃り部(4)を修理するのを備えて、回転前部髭剃り部(3)、およびそれぞれの仕上げの髭剃り部(4)に回転本体(4.1)があった後に取り付けられます(マシン動き視点から)。
- どれが非回転式のシャフトに旋回によって取り付けられるか、(、5.2、.2、)、固定システム(1.1、10.1)と穴で付く、(、5.2、.4、)、それ、システム、(、5.2、.5、)、電力か気密の液体、およびシステムによる供給、(、5.2、.6、) 回転本体(4.1)が凸状形をしているセクションに回転の表面の形を形成させる、(、4.1、.1、)、円錐の、または、円錐形の形があるセクション、および回転の表面の回転軸(4.2)への始動させることによって移すか、一周が縦軸と同じである、(、5.2、.3、)、非回転式のシャフト、(、5.2、.2、);  そして、前の回覧の縦軸(3.2)への平行線は、ヘッド(3)を切るか、または回転前部髭剃り部(3)の回転軸(3.1)がある架空の鉛直面から傾きます;
- 少なくとも1つのデザインアセンブリによって形成されて、「電気-モーター」(5.1)か水力機関(5.1)から成るのは第一のトランスミッション(5.2)と小歯車で続きました。だれの周辺壁(4.3)はバイトを備えているか、(、4.3、.1、)、らせん状の方法と、そして、円錐の、または、円錐形のセクションに取り付けられた少なくとも1個の削り器(3.3)によって手配する、(、4.1、.2、)、運転する設備(5)が位置していて、付けている(4.3)が内面の領域を区切る非ロータリーがさおで押すこの周辺壁、(、5.2、.2、)、(5;  2.1) 第一のトランスミッション(5.2)のアウトプット・シャフト、およびこの小歯車で取り付けられる、(、5.2、.1、)、リングで歯車仕掛けを形成する、(、4.3、.2、) リング、(、4.3、.2、)、回転前部髭剃り部の周辺壁(4.3)への堅い方法で、接続されます。(4) 
- どれが回転前部髭剃り部(4)の一部(1.1、10.1)を固定することと、そして、その結果、非回転式のシャフトに取り付けられた堅いケーシング(7)に同封されるか、(、5.2、.2、) 仕上げの回転髭剃り部(4)のジャケットに伴うケーシング(7)は、根切り土でinter-.wall領域(8)を区切って、バイトの接触のためのカットを持っています; 堅いケーシング(7)の下部(7.1)は根切り土のための秋終えた少なくとも1つの穴(7.2)を含んでいます。(根切り土は少なくともコンベヤ・システム(6)に機能上接続されたフィーダー部分(9)の食べさせている穴(9.1)によって続けられます)。
【請求項２】
請求項１の下でマシンにトンネルを堀って、グリッパがあるTBMが支持を含んでいるという点で特徴付けられて、回転の回覧の前部髭剃り部(3)と共に回転の回覧の前部髭剃り部(3)の回転軸(3.1)の向きに方法を滑らせる際にシャフト(2)を滑らせるとき、上に、ケーシング(1)は上がりました。
【発明の詳細な説明】
【技術分野】
【０００１】
発明は、主として岩石の状態におけるトンネル運転について言及して、トンネルマシンを使用する完全なプロフィール運転のその問題を訴えます。 そのようなトンネルの横向きのプロフィールは蹄鉄のほとんど形をしています。
【背景技術】
【０００２】
トンネル掘削機の有効なアプリケーションを許容する横向きのトンネルプロフィールの始めの形、(、以下に、: TBM) トンネルのボーリングのために、円形の横向きのプロフィールは使用されました。 現在、円形の横向きのプロフィールトンネルへのトンネルマシンのアプリケーションは非常によく習得されました。 上のプロフィールがくり抜かれているトンネルを使用するトンネルが1つで円形の髭剃り部を機械加工します。 サーキュラ・プレーンの上に岩石を分解する完全なプロフィールトンネルマシンが15mの上の直径と共にあります。 より大きい直径があるTBMsを使用することでくり抜かれるトンネルは経済的にハンディキャップをつけられます、ほとんど断面図の1/3まで利用している、しばしば再預けられるというわけではない断面図の下部の地域で中断を切ったので。  ビル仕事のための横向きのトンネルプロフィールと技術的な設備インストールの円形の領域のパラメタは十分な効率と共に利用されていません。
【０００３】
より大きい横向きの断面図の飛行機があるトンネルが円形の横向きのプロフィールでトンネルを堀る欠点を排除するのを必要とした造への必要性。 この問題を扱うオプションの1つは非回覧の横向きのプロフィールでトンネルを作ることによって、表されます、横向きのプロフィール形をトンネルの機能と性能パラメタに依存していて、トンネルを備えている機械、およびそのレイアウトのその内面のビルレイアウトに関して。
【０００４】
非回覧の横向きのプロフィールトンネルによるトンネルのボーリングのための基本的な機械が2以上で回転式の切断を機械加工するとき、ヘッドは使用されています。
【０００５】
上記の問題を解決するのは、米国特許No.5110188によって保護される方法と設備の野心です。 解決策は残りの非破壊された岩石(すなわち、円形の切断による岩石の除去が向かった後にプロフィールの接したセクションに残っている岩石)が破壊されて、揺動の使用が軸の垂線の周りで軸をくり抜くトンネルに回転する装置を切っていてこの接線のプロフィールが平らにされるという事実に基づきます。
【特許文献１】米国特許第5110188号明細書
【発明の開示】
【発明が解決しようとする課題】
【０００６】
非回覧断面図がある形(経済)が蹄鉄をつけるトンネルから、楕円か楕円同様の形が今、前面に着きます。 上の横向きのプロフィールによるトンネルのボーリングには、既存の方法と機械は定義された形に十分ではありません、トンネル設備の使用で。 通常、上で説明されたマシンの1つは最初に、横向きのプロフィールの始めの状態を作るのに使用されます、そして、次に、プロフィール形は非シールド工法によって達成されます; しかしながら、これは、むしろlabouriousであってその結果、高価です。
【０００７】
ヨーロッパの特許出願No.03751725.7-2315の対象であるトンネルマシンの目標は蹄鉄形をしている横向きのプロフィールが今までのところ知られている状態でトンネル運転方法に関連する問題の解決に貢献することです。 蹄鉄形をしている横向きのプロフィールによるトンネルの完全なプロフィール運転のためのトンネルマシンは髭剃り部を終えることと同様に2人以上の旋回で取り付けられた前部髭剃り部を含んでいます。 トンネルマシンのそれぞれの仕上げの髭剃り部は、バイトを備えて、凹形の表面を形成するように変更されます。また、少なくとも1人の仕上げの髭剃り部が凹形の表面を作るように変更されるとき、異形も可能です。 上の設備はトンネルマシンの前の甲板の、より効率的な利用のための状態を提供します。 髭剃り部が様々なカットプロフィール形の製作のためにどういくつかの異形を作るかをいくつかの異形にさせるそれぞれの仕上げの運転するシステムの相対的な自治。 これは主として大きい横向きのプロフィールがあるトンネルを運転するのに適当です。
【課題を解決するための手段】
【０００８】
トンネル掘削機、(、以下に、: TBM) 完全なプロフィールに関しては、排他的にヘッドに関連する回転式の円形の前部髭剃り部、工事、および運転するシステムを含んでいるという事実によって蹄鉄形をしている横向きのプロフィールによるトンネルの運転は特徴付けられます、抽出された材料の例えば、支持システムや、駆動マシンや、食べるのやコンベヤ・システムなどのようになど  また、マシンは1組の仕上げの髭剃り部を含んでいます; 位置と、位置と、回転式の表面形と、デザインと、関連服装とヘッド各人の支持ケーシングに上るのは最終的な蹄鉄形をしているプロフィールに髭剃り部を通るプレ作られた円形のプロフィールの滑らかな転送に備えます。
【０００９】
互いに対称的にマシンがトンネルであることであることのヘッドを切る仕上げ、鏡のようである、マシン運動に関して、円形の前部髭剃り部の回転軸に関して上がって、前部髭剃り部の後に見つけられます。 仕上げの髭剃り部の各人では、回転本体は支持ボディーのデザイン継続である非回転式のシャフトに取り付けられます。  支持ケーシングは、移行しているシャフトに取り付けられるか、またはトンネルマシンジャケットによって表されます。 回転式のボディーは凸状形の移すことのセクションに回転式の表面の形を形成させます、クランクか円錐の、または、円錐形の形と共にセクションに一周することによって。 髭剃り部を終える両方の回転式のボディーの回転軸は、円形の前部髭剃り部の縦軸に平行であるか、または円形の前部髭剃り部の回転軸がある架空の鉛直面から傾向があります。
【００１０】
ともに、髭剃り部を終えると、バイトは回転式のボディーの周辺壁に望ましくはらせんで整っているローラー・ビットによって持たれています。 らせんで整っているバイトに加えて、少なくとも1つのらせん形をしている拭くことの部分によって仕上げの髭剃り部の円錐の、または、円錐形の部分を備えています。 回転式のボディー周辺壁は運転する設備(気密の液体の電気で、動かされる)が非回転式のシャフトに位置し、取り付けられる内面のスペースを区切ります。 運転する設備は関連する第一のトランスミッションがある「電気-モーター」か水力機関を含む少なくとも1つのデザインアセンブリから成ります、望ましくは、惑星タイプについて。 出力エンドに、第一のトランスミッションは内部が連動している状態でリングで歯車仕掛けを形成する小歯車を備えています。 ギヤリングは回転式の仕上げの髭剃り部の周辺壁に厳格に接続されます。 非回転軸には、取り付けられた電流、気密の液体または冷却液供給システムがある穴があります。
【００１１】
両方の回転式の仕上げの髭剃り部は堅いケーシングを持っています、望ましくは、回転式の仕上げの髭剃り部ジャケットの形をコピーする形で。 回転式の仕上げの髭剃り部に伴う堅いケーシングは相互壁領域を区切ります。 堅いケーシングは取り付けシステムと、そして、その結果、回転式の仕上げの髭剃り部の非回転式のシャフトに取り付けられます、ジャケット; 運転するカットは提供されます。 回転の表面の円錐の、または、円錐形の部分をコピーするカバー部分は少なくとも1つの始まりを食べさせているシステムの食べさせている穴に接続させます。 これは制限されたコンベヤ・システムです。
【００１２】
保護を受けることがある設備は主として中型の、そして、大きい横向きのプロフィールがあるトンネルのビルに適当です、難しい地質学の状態でさえ。 保護の対象であるシステムの設計はトンネルのマシン前部の操作の表面の、より効果的な利用のための状態を提供します。 ほんとうは、発明仮定によると、システムを使用して、ほとんど技術で強制されるのなしで雄蹄鉄形をしているトンネルプロフィールに横向きで提供されるこの手段は断面図の増加の輪郭を描きます; これは順番にトンネルを作ると関連するほとんどすべてのコストの減少に反映されるでしょう。
【００１３】
髭剃り部が駆動が輪郭を描く様々な形のpfのためのいくつかの異形を作成させるそれぞれの仕上げの運転するシステムの相対的な自治。
【００１４】
スペースグリッパがあるTBMの概念がある提案された解決策は円形の前部髭剃り部が一時交替しないとき状態で髭剃り部を終える2の動きを許容するという事実で有利です。
【発明を実施するための最良の形態】
【００１５】
保護の対象の原理について説明するために、蹄鉄形をしているドライブユニットに固定されたシャフトに取り付けられる回転の回覧の前部髭剃り部に持たせるトンネルの完全なプロフィール運転のためのトンネルマシンは例として使用されます。  より大きいプロフィールをもっている回転回覧髭剃り部はまた、2つのカウンタを回転させる部品から成るかもしれません。 図1et seq中にトンネルマシンのシャフト2を滑らせるとき取り付けられるcasing1を支持するのから成っているか、滑っているかまたは固定された方法で見せられるトンネルマシン。 滑っているシャフト2の片端に、回転回覧髭剃り部3は取り付けられます; 設備の移行しているシステムに備えるのに使用されるスペースグリッパはシャフト2のもう一方の端のデザイン継続です。
【００１６】
また、マシンは掘削された岩石(ここで、目立たない)の食べるのとコンベヤ・システム、および回転回覧髭剃り部3と関係がある他の設備を含んでいます。 発明の原則に関して、この設備の記述は必要ではありません。
【００１７】
また、トンネルマシンは仕上げの髭剃り部4の組を含んで、どれがヘッド3を切る回転回覧前部の回転の軸3.1に関して互いの鏡と対称の位置にあって、回転回覧の後にマシン動き視点から見つけられるかが髭剃り部3に向かいます。 両方の仕上げの髭剃り部4は回転本体4.1を入れます、非回転シャフトに取り付けられて5.2、.2、支持ケーシング1に接続される取付システム1.1に付属しています。 回転本体4.1には部分によって形成された回転の表面の形がある、4.1、.1、クランクで境を接するか、または部分に発展する凸状形、4.1、.2、円錐の、または、円錐形の形で。 原則として、ヘッド4を切り終えるそれぞれの回転本体4.1の回転の軸4.2は回転の回覧の前部髭剃り部3の回転の軸3.1がある架空の鉛直面から傾きます。(Cf。 図2). 同時に仕上げの髭剃り部4の回転本体4.1の回転の枢軸4.2が縦軸である、5.2、.3、非回転式のシャフト、5.2、.2 縦軸の向きに、穴5.2の.4が非回転式のシャフト5.2.2にあります; 穴、5.2、.4、システム、5.2、.5、電力か気密の液体の供給が非回転式のシャフトの上部から提供される、5.2、.2、運転する設備5に関連しています。 非回転式のシャフトの下部の側面、5.2、.2、システム、5.2、.6、クーリング・システムへの冷却水の供給が穴で仕掛けられる、5.2、.4髭剃り部、交換可能なバイトを完成させる両方の回転本体4.1の周辺壁4.3では、.1が4.3であることは上がりました。 らせん状のアレンジメントでツール4.3.1を持っているのは望ましいです。 ローラー・ビットがいつバイトとして使用されるか、そして、付随的なビットがいつバイトとして円錐の、または、円錐形の壁領域で使用されるかは、タイプするほど良いです。 バイトに加えた4.3、.1、回転本体4.1の円錐の、または、円錐形の壁は少なくとも1つの削り器部分を備えている、4.3、.2、望ましくは、らせんでは、形成してください。 バイト4.3のらせん状のアレンジメントのため、髭剃り部と働くサイクルが髭剃り部の間の始めにおける.1の衝撃が減少しました。
【００１８】
そのうえ、回転本体4.1の周辺壁4.3はどちらか電力による駆動か気密に設備5をするのが取り付けられる内面の領域(図5)を区切ります。 運転する設備5が非回転式のシャフトに取り付けられた少なくとも1つのデザインアセンブリである、5.2、.2、どれが固定システム1.1で修理されるかが円形の前部髭剃り部3の回転軸の向きに支持ボディー1(どちらか堅いか移行している方法による)をつなぎました。 運転する設備5のデザインアセンブリはelectromotor 5.1か水力機関5.1から成ります、第一のトランスミッション5.2によって望ましくは惑星タイプに続けられて、小歯車を備えていて5.2、.1、出力のときに、終わってください。 小歯車、5.2、.1、各ドライビングユニットでは、5がリングで歯車仕掛けから成る、4.3、.2、内部が連動していて、ヘッド4を切り終える周辺壁4.3に上りました。 それぞれの仕上げの髭剃り部4には、関連フィーダーパート9(ともに髭剃り部を終えるのに、共通の)があります、掘削された岩石(図3)の輸送のコンベヤ・システム6と同様に。髭剃り部4を終える各回転が堅いケーシング7に同封されます。(Cf。 図5). 堅いケーシング7が回転本体4.1の周辺壁4.3の形をコピーするとき、実用的な観点から、髭剃り部4を終えるのにおいて、それは上手です。 ヘッド4を切り終える回転本体4.1の周辺壁4.3に伴う堅いケーシング7がバイトの動きのために相互壁領域11を区切る、4.3、.1 堅いケーシング7がシステム1.1を修理することと、そして、その結果、非回転式のシャフトに取り付けられる、5.2、.2、切れ終えるのが、回転では、4の上に立って、バイトの接触を許す切れ込んでいる7.1を持っている、4.3、.1、取り除かれるべきである材料で。 円錐の、または、円錐形の部分の形をコピーする堅いケーシング7の部分、4.1、.2、回転が4.1に具体化して、通じて少なくともある秋のアウトレット7.2を離れさせる、9。(アウトレットは秋終えたフィーダーのアウトレット9.1によって続けられます)。 フィーダーパート9はフィーダーシステム6の機能的な継続です。
【００１９】
蹄鉄形をしているプロフィールが保護の対象であるトンネルマシンを使用しているトンネルの運転は以下の通り実行されます: ドライビングユニットによって駆り立てられるヘッド3(ここで、目立ちません)を切る回転する前部は最初に、丸穴を作ります; 回転の回覧の前部髭剃り部3の機能に関連する掘削された岩石は、フィーダーシステム(ここで、目立たない)によって捕らえられて、コンベヤ・システムでメインコンベア、または、掘削された岩石の格納に感動します。 その後すぐに、仕上げの髭剃り部4の回転本体4.1は顔を移します、そして、穴は最終的な形に終わります。 仕上げの髭剃り部の回転本体4.1の3.3と回転が掘削した削り器の助けによって、岩石はフィーダーパート9の食べさせている穴9.1への入り込まれた制御方法です。 そして、材料は抽出された材料をマシンから遠くに輸送しながらメインコンベア(ここで、目立たない)までそれを運ぶコンベヤ・システム6に入れられます。
【００２０】
グリッパ、駆動缶がスペースがあるTBMと共に「部分」をシステムにしました。 確実な地質学の状態で運転するとき、このシステムは良いです。 回転の円形の前部髭剃り部3が一時的な休息でいるとき、表面取り外しの間の仕上げの髭剃り部4の滑り運動を実現することができます。 運転するシステムがcasing1を支持するトンネルマシンの設計を変更するのを必要とする「部分。」 例えば、回転前部髭剃り部3と共にシャフト2を滑らせるとき方法を滑らせる際に取り付けられる支持しているcasing1を使用するのにおいて変更があります。(Cf。 図6). システムは例えば、まっすぐな水圧シリンダ8によって補われます。 casing1を支持するのに取り付けられたそれらの筒状のセクション8.1とピストン部分8.2は堅い方法で接続されます。滑りへのプラグパート8.3の助けによって、シャフト2プラグパート8.3は、ケーシング1を支える際に作られた正方形の穴8.4に位置して、シャフト2を滑らせるに沿ってケーシング1を支えるのを滑らせるのを許容します。(滑っている長さは正方形穴8の長さによって区切られます;  そして、4、まっすぐな水圧シリンダ8水圧シリンダ8がいつに関するピストン8.2の拡大サイズによって、活性であり、そのピストン部分8.2は、要素を据えつけるとして機能して、運転する方向にシャフト2を滑らせるに沿った筒状のボディー1の筒状のセクション8.1の滑りの助けによってわかられるか;
また、シールドがあるTBMの場合に発明の原則を使用することができます。(Cf。 図7), ライニングを入浴させるとき、滑っている動きがいつ水圧シリンダによって確実にされるかは用意しました。 同様である、押出されたコンクリート?L.システム?缶がE.C.のための魅惑的なメカニズムと共に使用される2人乗り自転車。 TBMが前部円形の髭剃り部3直後二重シールドでわかるのに、仕上げの髭剃り部4はグリッパの正面に配置されます。 売場効率のために、グリッパは仕上げの髭剃り部4が位置する領域にテレスコピックな水圧シリンダを備えているとき、それが望ましいです。
【００２１】
トンネル設備のシールドデザインの場合には、仕上げの髭剃り部はトンネル設備ジャケットによって表されるケーシング10を支えるのに付けられています、そして、固定システム10.1は使用されています。
【００２２】
発明具体化の上の例はその可能なアプリケーションのイラストとしてトンネル設備のデザインに提供されます。 発明の原則はさらなる具体化のための出発点です。(具体化は上の例で言及されていません)。
【産業上の利用可能性】
【００２３】
この発明に従った設備は、適切であって、特に地質学の岩石にトンネル、横坑入口、および同様の物を動かすのに適当です、主としてハードロックへの媒体で。
【図面の簡単な説明】
【００２４】
発明に従って蹄鉄形をしている横向きのプロフィールによるトンネルの完全なプロフィール運転のためにマシンにトンネルを堀るのはその他の詳細で概要数字の助けによって説明されるでしょう。図1は、axonometric視点がトンネルマシンの本質を言い表すのを示します; 図2はトンネルマシンの背面図を示します。 図で。 それぞれ3とトンネルの側面と地取り視点が機械加工する4を見つけることができます。図5はその他の詳細に仕上げの髭剃り部のデザインを示します、回転仕上げ髭剃り部の縦断面の不等角投影図を使用します。 図6では、髭剃り部を終える回転の自治の移行しているメカニズムの細部は示されます。  図7はジャケットと二重ジャケットでTBMシステムに、適切な解決策のaxonometryを例証します。
【符号の説明】
【００２５】
1    ケーシングを支えること。
1.1    システムを修理すること。
2    シャフトを滑らせること。
3    前部円形の髭剃り部
3.1    前部髭剃り部の回転軸
3.2    前部髭剃り部の縦軸
3.3    削り器
4    髭剃り部を終えること。
4.1    回転本体
4.1.1    凸状形をしているセクション
4.1.2    円錐の、または、円錐形のセクション
4.2    回転回転軸の表面
4.3    周辺壁
4.3.1    バイト
4.3.2    内側の伝動装置を取り囲んでください。
5    運転する設備
5.1    「電気-モーター」、水力機関
5.2    第一のトランスミッション
5.2.1    小歯車
5.2.2    非回転式のシャフト
5.2.3    非回転式のシャフトの縦軸
5.2.4  電力か、気密の液体と冷却液の供給には、掘ってください。
5.2.5    電力か気密の液体供給システム
5.2.6    冷却液供給システム
6    コンベヤ・システム
7    堅いケーシング
7.1    堅いケーシング下部
7.2    アウトレットを通り抜けて落ちてください。
8    水圧シリンダ
8.1    水圧シリンダの筒状のセクション
8.2    水圧シリンダのピストン部分
8.3    プラグ部分
8.4    長方形の穴
9    フィーダー部分
9.1    フィーダー穴
10    ケーシングを支えること。
10.1    システムを修理すること。
11    相互壁領域
【図１】
2009522471.tif 000003
【図２】
2009522471.tif 000004
【図３】
2009522471.tif 000005
【図４】
2009522471.tif 000006
【図５】
2009522471.tif 000007
【図６】
2009522471.tif 000008
【図７】
2009522471.tif 000009
【国際調査報告】
2009522471.tif 000010
2009522471.tif 000011
2009522471.tif 000012